(57)【要約】  本発明は、キャップシールにより被覆された栓によって口が閉じられているボトルの認証用電子デバイス（１００）に関するものであり、前記ボトルと前記キャップシールとの間に位置付けされるための前記デバイス（１００）は、回路（１０）のトラックを形成する少なくとも１本の導線（１２）が上に延在している可撓性の絶縁性支持体（１１）を含む電子回路（１０）を含み、前記電子回路（１０）は、前記ボトルの識別データを記憶する電子チップ（１３）と、アンテナ（１４）が読取り機の適用範囲内にある場合に、無線経路によって前記少なくとも１つの識別データを外部読取り機に向けて伝送するために、前記チップ（１３）と協働するためのアンテナ（１４）と、前記デバイス（１００）が前記ボトルと前記キャップシールとの間に位置付けされている場合に、前記口を少なくとも部分的に被覆しかつ前記回路（１０）のトラック（１３）により前記電子チップ（１３）に電気的に接続されている栓穿孔の検出手段（１５）を含み、前記電子チップ（１３）は、前記栓穿孔の検出手段（１５）との電気的接続が断たれている場合に、栓が取り去られていることおよび／または穿孔されていることを判定するように構成されている、認証用電子デバイスに関する。【選択図３ａ】
2018505823.tif 000002
【特許請求の範囲】
【請求項１】
細長いキャップシール（３００）により被覆された栓（２０２）によって口（２０１）が閉じられているボトル（２００）の認証用電子デバイス（１００）であって、前記ボトル（２００）と前記キャップシール（３００）との間に位置付けされるための前記デバイス（１００）は、回路（１０）のトラックを形成する少なくとも１本の導線（１２）が長手方向にかつ重複することなく上に延在している可撓性の絶縁性支持体（１１）を含む電子回路（１０）を含み、前記電子回路（１０）は、
−  前記ボトル（２００）の内容物に関する少なくとも１つの情報を格納する識別データを記憶する電子チップ（１３）と、
−  アンテナ（１４）が読取り機（４００）の適用範囲内にある場合に、無線経路によって前記少なくとも１つの識別データを外部読取り機（４００）に向けて伝送するために、前記チップ（１３）と協働するように構成されているアンテナ（１４）と、
を含んでいるデバイスであって、
前記電子回路（１０）は、前記デバイス（１００）が前記ボトル（２００）と前記キャップシール（３００）との間に位置付けされている場合に、前記口（２０１）を少なくとも部分的に被覆しかつ前記回路（１０）のトラックにより前記電子チップ（１３）に電気的に接続されている栓穿孔の検出手段（１５）を含み、前記電子チップ（１３）は、前記栓穿孔の検出手段（１５）との電気的接続が断たれている場合に、栓（２０２）が穿孔されていることまたは取り去られていることを判定するように構成されていることを特徴とする、認証用電子デバイス。
【請求項２】
栓穿孔の検出手段（１５）が、網状組織のトラックを形成する少なくとも１本の導線（１６）の網状組織を含むことを特徴とする、請求項１に記載のデバイス（１００）。
【請求項３】
網状組織（１６）のトラックおよび回路（１０）のトラックが前記少なくとも１本の導線（１２）により形成されることを特徴とする、請求項２に記載のデバイス（１００）。
【請求項４】
網状組織（１６）のトラックが、おおよそ５０μｍ〜３００μｍの間にほぼ含まれる離隔距離だけ互いに間隔をあけていることを特徴とする、請求項２または３に記載のデバイス（１００）。
【請求項５】
網状組織（１６）の各トラック間の離隔距離が、おおよそ５０μｍ〜１５０μｍ、好ましくはおおよそ８０μｍ〜１５０μｍの間にほぼ含まれることを特徴とする、請求項４に記載のデバイス（１００）。
【請求項６】
前記網状組織（１６）の各トラックが、おおよそ５０μｍ〜３００μｍの間にほぼ含まれる幅を有することを特徴とする、請求項２〜５のいずれか１つ項に記載のデバイス１００）。
【請求項７】
前記網状組織（１６）の各トラックの幅が、おおよそ５０μｍ〜１５０μｍ、好ましくはおおよそ８０μｍ〜１５０μｍの間にほぼ含まれることを特徴とする、請求項６に記載のデバイス（１００）。
【請求項８】
前記網状組織の各トラック（１６）が、おおよそ１０μｍ〜５０μｍの間に含まれる厚みを有することを特徴とする、請求項２〜７のいずれか１つに記載のデバイス（１００）。
【請求項９】
栓穿孔の検出手段（１５）が、針などの外部物体がパッチ（１７）を穿孔した場合、前記パッチ（１７）と前記チップ（１３）との間の電気的接続が断たれるような形で構成されたパッチ（１７）を含んでいることを特徴とする、請求項１に記載のデバイス（１００）。
【請求項１０】
前記パッチ（１７）が少なくとも部分的にセラミックで構成されていることを特徴とする、請求項９に記載のデバイス（１００）。
【請求項１１】
前記栓穿孔の検出手段（１５）の端子におけるインピーダンスの変動を測定するように、および測定された変動に応じて栓（２０２）が穿孔されたか否かを判定するように構成されたインピーダンスプローブ（２０）を含むことを特徴とする、請求項１〜１０のいずれか１つに記載のデバイス（１００）。
【請求項１２】
絶縁性支持体（１１）が、６分岐を有する星形の体裁を有し、前記アンテナ（１４）が前記星形の６つの分岐のうちの１つの分岐の遠位部分上に位置付けされており、栓穿孔の検出手段（１５）は、前記デバイス（１００）が前記ボトル（２００）と前記キャップシール（３００）との間に位置付けされた時、前記星形の中央部分に位置付けされて少なくとも部分的に前記口（２０１）を被覆することを特徴とする、請求項１〜１１のいずれか１つに記載のデバイス（１００）。
【請求項１３】
絶縁性支持体（１１）は、前記デバイス（１００）が前記ボトル（２００）と前記キャップシール（３００）との間に位置付けされる時に、前記ボトル（２００）の口（２０１）の形状に一致するように栓穿孔の検出手段（１５）の周囲にエンボス加工を含むことを特徴とする、請求項１〜１２のいずれか１つに記載のデバイス（１００）。
【請求項１４】
絶縁性支持体（１１）は、前記デバイス（１００）が前記ボトル（２００）と前記キャップシール（３００）との間に位置付けされる時に、前記ボトル（２００）の口（２０１）の形状に一致するように、栓穿孔の検出手段（１５）の周囲に弾性部分を含むことを特徴とする、請求項１〜１３のいずれか１つに記載のデバイス（１００）。
【請求項１５】
絶縁性支持体（１１）は、前記ボトル（２００）とキャップシール（３００）のはめ込み接合をする際に及ぼされる機械的応力に耐えるような機械的特性を有する材料で、少なくとも部分的に構成されていることを特徴とする、請求項１〜１４のいずれか１つに記載のデバイス（１００）。
【請求項１６】
絶縁性支持体（１１）が、熱可塑性ポリマーで少なくとも部分的に構成されていることを特徴とする、請求項１５に記載のデバイス。
【請求項１７】
絶縁性支持体（１１）が、ポリイミド、例えばＫＡＰＴＯＮタイプのポリイミド、ポリエステル、ＰＥＴ、ＰＢＴまたはＰＥＮの中から選択される熱可塑性ポリマーで少なくとも部分的に構成されていることを特徴とする、請求項１６に記載のデバイス。
【請求項１８】
トラック（１２、１６）が、例えば銅、錫、さらにはアルミニウムなどの導電性、非酸化性、可鍛性および可延性の材料で少なくとも部分的に構成されていることを特徴とする、請求項１〜１７のいずれか１つに記載のデバイス（１００）。
【請求項１９】
前記チップ（１３）に電気的に接続され、周囲温度および／または湿度を測定し前記チップ（１３）に対して周囲温度および／または湿度に関する情報を提供するように構成された、例えば温度および／または温度プローブ（３０）などの測定手段（３０）を含み、前記チップ（１３）は前記プローブ（３０）から受信した前記情報を記憶し履歴化することができることを特徴とする、請求項１〜１８のいずれか１つに記載のデバイス（１００）。
【請求項２０】
周囲温度および／または湿度が既定値範囲内にない場合に第１の警告信号を生成するように構成された、例えばサーモスタット（３１）および／またはハイグロスタット（３２）などの警告手段（３１、３２）を含むことを特徴とする、請求項１〜１９のいずれか１つに記載のデバイス（１００）。
【請求項２１】
第１の警告信号は、周囲温度および／または湿度が規定の曝露期間中既定値範囲内にない場合に生成されることを特徴とする、請求項２０に記載のデバイス（１００）。
【請求項２２】
ボトルを通過して伝播する振動を測定するように構成された振動センサー（４０）を含むことを特徴とする、請求項１〜２１のいずれか１つに記載のデバイス（１００）。
【請求項２３】
振動センサー（４０）または前記チップ（１３）は、前記測定された振動が約１秒間におおよそ３０Ｈｚ〜３００Ｈｚの間にほぼ含まれる周波数を有する場合、第２の警告信号を生成するように構成されていることを特徴とする、請求項２２に記載のデバイス（１００）。
【請求項２４】
振動センサー（４０）が、周期振動を検出するように構成されていることを特徴とする、請求項２２または２３に記載のデバイス（１００）。
【請求項２５】
前記デバイス（１００）の地理的座標を前記電子チップ（１３）に伝送するように構成されたＧＰＳタイプの地理的位置決定用受信機（５０）を含むことを特徴とする、請求項１〜２４のいずれか１つに記載のデバイス（１００）。
【請求項２６】
電子チップ（１３）が、識別キーを用いて各々アクセス可能な少なくとも１つの安全な記憶モジュールを含むことを特徴とする、請求項１〜２５のいずれか１つに記載のデバイス（１００）。
【請求項２７】
アンテナ（１４）が、環を形成する複数の巻回を含むことを特徴とする、請求項１〜２６のいずれか１つに記載のデバイス（１００）。
【請求項２８】
前記アンテナ（１４）は、前記デバイス（１００）が前記キャップシール（３００）と前記ボトル（２００）との間に位置付けされている時、前記キャップシール（３００）から少なくとも部分的にはみ出していることを特徴とする、請求項１〜２７のいずれか１つに記載のデバイス（１００）。
【請求項２９】
絶縁性支持体（１１）がフェライト層を含むことを特徴とする、請求項１〜２８のいずれか１つに記載のデバイス（１００）。
【請求項３０】
キャップシール（３００）により被覆された栓（２０２）によって口（２０１）が閉じられているボトル（２００）であって、このボトル（２００）と前記キャップシール（３００）との間に位置付けされた請求項１〜２９のいずれか１つに記載の認証用電子デバイス（１００）を含むボトル（２００）。
【請求項３１】
キャップシール（３００）により被覆された栓（２０２）によって口（２０１）が閉じられているボトル（２００）の製造方法であって、特に
−  請求項１〜２９のいずれか１つに記載の認証用電子デバイス（１００）をボトル（２００）の口（２０１）の周りに位置付ける第１の工程と、
−  ボトル（２００）の閉じを封印するために、キャップシール（３００）および前記デバイス（１００）を口（２０１）の周りで一緒にはめ込み接合する第２の工程と、
を含むことを特徴とする方法。
【請求項３２】
キャップシール（３００）により被覆された栓（２０２）によって口（２０１）が閉じられているボトル（２００）の認証のためのアセンブリ（５００）であって、
−  前記ボトル（２００）と前記キャップシール（３００）との間に位置付けされるための請求項１〜２９のいずれか１つに記載の少なくとも１つの認証用電子デバイス（１００）と、
−  前記デバイス（１００）のアンテナ（１４）が読取り機（４００）の適用範囲内にある場合に、前記デバイス（１００）の電子チップ（１３）に記憶された前記識別データを読取ることのできる外部読取り機（４００）と、
を含むアセンブリ（５００）。
【請求項３３】
グラン・クリュタイプのワインが入ったボトル（２００）の認証のための、請求項１〜２９のいずれか１つに記載の認証用電子デバイス（１００）の使用。
【請求項３４】
請求項１〜２９のいずれか１つに記載の認証用電子デバイス（１００）を含むボトル（２００）用のキャップシール（３００）。
【発明の詳細な説明】
【技術分野】
【０００１】
本発明は、偽造防止対策のデバイスの分野に関する。
【背景技術】
【０００２】
偽造はあらゆる分野で行われ、ワインの分野でさえ同様である。
【０００３】
いくつかの数値によると、世界中で販売されているワインの約２０％が偽造されたものと実際推定される。
【０００４】
したがって本発明の目的はこの問題を扱うことであり、より詳細にはアルコール飲料のボトル、特に
−グラン・クリュタイプ（プルミエ・クリュなど）のワインのボトル、
−シャンパンのボトル、
−蒸留酒（コニャック、アルマニャック、ウィスキーなど）のボトル、あるいは
−商品価値の高い液体の入った他の全てのタイプのボトル、
の偽造対策のための認証用デバイスに関している。
【０００５】
本発明の目的の１つは、特に、ボトルおよびその内容物に関する信頼度の高い情報をリアルタイムに提供することにより、アルコール飲料ボトルの偽造を減少させることにある。
【０００６】
より厳密には、本発明の目的の１つは、ボトルの内容物に関する識別情報（例えば、シャトー名、収穫年度など）を提供し、かつ前記ボトルが既に開栓されたことがあるか否かを表示することによって、ボトルの真正度を確認するかまたは無効にすることにある。
【０００７】
本発明は、ワイン、特にグラン・クリュ（プルミエ・クリュなど）に対して多数の有利な用途を見出す。
【０００８】
例えばシャンパンまたは蒸留酒の一部のボトルの認証など、他の有利な用途も、同様に企図することができる。
【０００９】
今日、ワイン市場、より詳細にはプルミエ・クリュタイプのグラン・クリュの市場は、非常に重要な投機対象となっている。すなわち、プルミエ・クリュボトル１本の価格は、その収穫年度に応じて数百ユーロ、さらには数千ユーロの価値をもつ可能性がある。
【００１０】
同様に、ワインのために組織される競りの価格は、毎年その記録を塗り替えており、例外的ないくつかのボトルは、数十万ユーロで買われている。
【００１１】
コレクターが保持しているボトルは、その希少性のみならず、その歴史やそれに付随する逸話のため、値がつけられないほど高価である。
【００１２】
グラン・クリュに対するこの熱狂のため、この市場の関係者、特にブドウ栽培者および生産者は、一部の大きなシャトーの名声を成している伝統および風格（ラベル、コルク栓、ボトルの全体的美観など）を保持しながら、偽造のリスクを制限しワインの真正さを保証するために必要なあらゆる対策を講じる必要がある。
【００１３】
以上で明記した通り、誠実さを欠いた極めて組織的な偽造者が、ワインおよびグラン・クリュの市場に溢れ、この市場に偽造ボトルを持ち込んでおり、それは世界中の売り上げの２０％にのぼる。
【００１４】
こうして、ワインの偽造は、常により巧妙でかつより摘発が困難である非常に多くの形態をとる。
【００１５】
市場（特に中国市場）において、偽造ラベルの付いたボトルが見受けられる。本物のラベルと比べて行い得る唯一の区別は、スペルミスなどのわずかな細部が時おり関わることぐらいである。
【００１６】
また、対応していない内容物の入った本物のボトルも見出される。しかも、有名レストランから出される空のプルミエ・クリュボトルの本物の市場が存在する。実際、偽造者には、特定の空のボトルを数百ユーロで買い取って、次にこれらのボトルに何らかの飲料を詰めて再販することができる態勢が整っている。
【００１７】
また、ボトルの内容物が、キャップシールおよび栓を穿孔する非常に細い針を用いて吸い出される偽造の事例も知られている。
【００１８】
これは、詰め替えのことである。
【００１９】
消費者がこのタイプのワインを評価するには、ワイン醸造に関する真の教養および真の知識が必要とされるだけに、これらの実行はさらに頻度を増している。
【００２０】
多くの国において、消費者はこういった教養およびこういった知識を持ち合わせていない。
【００２１】
多くの場合、（素人の）消費者が持ち合わせる唯一の基準は、ボトルの価格である。消費者にとっては、価格の高さが必然的に品質の保証となる。
【００２２】
したがってラベルが真正である（そして好ましくは高級である）ように見えている限り、この消費者に何らかのワインを売ることは容易である。
【００２３】
したがって消費者は、これらの偽造の実行に対して、全くなす術を持たない状態となっている。
【００２４】
さらに出願人は、偽造の被害者である一部のブドウ栽培者および一部の生産者が被る金銭的損害が結果としてもたらされ得ることを考察している。そのうえ、賠償を得るための裁判所での係争は、非常に長く非常に複雑である。
【００２５】
ここで、ワインに関しては、偽造を立証し偽造者の出所までさかのぼることが極めて困難であることが指摘される。
【００２６】
金銭的損害の他に、ブランドイメージおよび一部のシャトーの名声が、偽造によって損なわれる可能性があるという点を強調することも必要である。消費者は、ボトルの真正さが保証されなければ、もはや信用せず、このシャトー由来のボトルを購入したいとは思わない。
【００２７】
それでも、これらの偽造リスクを制限し消費者に信頼を与えるために、ブドウ栽培者および生産者に提供されている解決法が存在する。
【００２８】
欧州特許第１８５７３７４号明細書が特に知られている。
この文書では、上方に識別子を格納する無接点ラベルが位置づけされているボトル用キャップキャップシールが開示されている。
【００２９】
より詳細には、この文書中、キャップシールとボトルの間に跨るラベルは封印として役立っている。
【００３０】
この欧州特許第１８５７３７４号明細書中で提案されている解決法は、ＲＦＩＤタイプの技術を用いた無線通信手段によりラベル内に記憶された識別子の読取りを想定している。
【００３１】
この解決法によると、次に消費者は、ボトルの真正さ、またより厳密には封印の真正さをこの識別子を用いて確認するために、リモートサーバーまたはインターネットサイトを参照することが求められる。
【００３２】
実際には、封印の真正さは、ボトルおよびその内容物の真正さを保証するものではない。
【００３３】
出願人は特に、この欧州特許第１８５７３７４号明細書が、栓の穿孔および針を用いたボトルの内容物の吸い出しを回避するための解決法を提案していないことを提起する。
【００３４】
さらに、封印はボトルおよびキャップシールの上方に位置付けされていることから、この封印を取り外して偽造ボトル上にそれを位置付けすることが可能であるため、このようなデバイスは脆弱である。
【００３５】
出願人はまた、キャップシール上に置かれたこのような封印が美的でないことも指摘している。これは、プルミエ・クリュタイプのグラン・クリュを生産する大部分のシャトーにとって、受入れ難いことである。
【００３６】
また、ＳＥＬＩＮＫＯ社およびＩＮＳＩＤＥ  ＳＥＣＵＲＥ社が合同で開発したもののような他の解決法も存在する。
【００３７】
「ＣＡＰＳＥＡＬ（登録商標）」のブランドで知られるこの解決法は、ボトルの口に、アンテナに接続された電子チップにより形成された電子ラベルを備えることからなる。
【００３８】
この技術によると、ラベルは、キャップシールの取り外し直後に機械的に機能が停止される。
【００３９】
この解決法によると、消費者は、ＮＦＣ（「Ｎｅａｒ  Ｆｉｅｌｄ  Ｃｏｍｍｕｎｉｃａｔｉｏｎ」の略）タイプの無線通信手段を備えた「スマートフォン」タイプの通信端末でラベルをスキャンして、ボトルの真正さを専用のインターネットサイトで調べることができる。
【００４０】
この解決法では、通信端末にアプリケーションソフトウェアを予めインストールすることが必要である。
【００４１】
ユーザーがボトルの真正さを確認することができるのは、このアプリケーションソフトウェアおよびインターネットネットワークへの接続を介してである。
【００４２】
いずれにせよ、「ＣＡＰＳＥＡＬ（登録商標）」技術は、針を用いたボトルの栓の穿孔およびこれらのボトルの内容物の吸い出しを検出するための解決法を提案していない。
【００４３】
さらに出願人は、現状技術において提案されている無接点ラベルおよび封印が、銘醸ワインの長期保存要件を満たすには耐用期間が短すぎるという点を提起する。
【先行技術文献】
【特許文献】
【００４４】
【特許文献１】欧州特許第１８５７３７４号明細書
【発明の概要】
【発明が解決しようとする課題】
【００４５】
本発明は、上述の状況を改善することを目的とする。
【００４６】
本発明の目的の１つは、全て自律式に、すなわちリモートサーバーに問合せすることおよび／または通信端末にインストールされたアプリケーションソフトウェアを参照することなくボトルの内容物の真正さを保証することを可能にする、使用が簡単で、効率が良く、頑丈で、耐用期間が長く（３０年超、さらにはそれ以上）、かつ美的である（可能な限り眼に見えない）解決法を提案することによって、上述の様々な欠点を改善することにある。
【課題を解決するための手段】
【００４７】
このため、本発明の目的は、第１の態様によると、細長いキャップシールにより被覆された栓によって口が閉じられているボトルの認証用電子デバイスに関する。
【００４８】
本発明によると、デバイスは、ボトルとキャップシールとの間に位置づけされるためのものである。
【００４９】
有利には、本発明に係るデバイスは、回路のトラックを形成する少なくとも１本の導線がほぼ長手方向にかつ重複することなく上に延在している可撓性の絶縁性支持体を含む電子回路を含んでいる。
【００５０】
本発明の意味合いにおける「重複することなく」なる用語は、ここでは、以下の説明全体において、トラックが互いに接触していないこととして理解されなければならない。
【００５１】
換言すると、絶縁性支持体上に延在する回路のトラックは、互いに電気的に絶縁されている。
【００５２】
有利には、電子回路は、少なくとも１つの識別データを記憶する電子チップを含む。
【００５３】
好ましくは、この識別データは、ボトルの内容物に関する少なくとも１つの情報を格納する。これは例えば、シャトーの名称、収穫年度、瓶詰年、ボトルの番号、ボトルの内容量、アルコール度数などのタイプの情報であり得る。
【００５４】
ここで当業者であれば、電子チップが他のタイプの情報（極秘または非極秘情報）を記憶できることを理解するものである。
【００５５】
有利には、電子回路はさらにアンテナを含む。
【００５６】
このアンテナは、好ましくは、例えばアンテナが読取り機の適用範囲内にある場合に、無線経路によって前記少なくとも１つの識別データを外部読取り機に向けて伝送するために、電子チップと協働するように構成されている。
【００５７】
好ましくは、この読取り機は、識別情報、例えばシャトーのラベルをスクリーン上に表示するように構成されている。
【００５８】
任意には、このアンテナは、１つまたは複数の電子コンポーネントで構成された適応回路を使用してチップと協働することができる。
【００５９】
任意には、アンテナは、電子回路上のアンテナの位置付けおよび場所上の制約に応じてアンテナの性能を最大限にするように配置された一続きのトラックを含む。
【００６０】
一実施形態において、これらのトラックは同心の矩形を形成する。
【００６１】
代替的には、アンテナのトラックは、複数の同心環（螺旋形状）を形成することができる。
【００６２】
アンテナのトラックがボトルの口の周りに位置付けされている場合、これらのトラックは例えば、互いの上に複数の環を形成して、コイルを形成することができる。
【００６３】
代替的には、アンテナのトラックがボトルの口の周りに位置付けされている場合、これらのトラックは、同様に（各導線が互いに接触する状態でバネのように）均一な導線厚みを形成する互いに並んだ複数の環を形成することもできる。
【００６４】
有利には、電子回路はまた、栓穿孔の検出手段も含んでいる。
【００６５】
本発明の特徴であるこれらの手段は、デバイスがボトルとキャップシールとの間に位置付けされている場合に、少なくとも部分的に口を被覆する。
【００６６】
好ましくは、栓穿孔の検出手段は、デバイスがボトルとキャップシールとの間に位置付けされている場合、口を完全に被覆する。
【００６７】
任意には、栓穿孔の検出手段は、ボトルの口のサイズに適合し得る円盤の全体的形状をとる。
【００６８】
有利には、栓穿孔の検出手段は、前記回路のトラックによって電子チップに電気的に接続される。
【００６９】
有利には、電子チップは、栓穿孔の検出手段との電気的接続が断たれている場合に、栓が穿孔されていることまたは取り去られていることを判定するように構成されている。
【００７０】
こうして、本発明の特徴である技術的手段のこの構成によって、最終消費者だけでなく、販売業者、再販業者、流通業者、さらにはコレクターまたは競売人にも、ボトルの真正さ、より詳細にはその内容物の真正さを確かめることを保証する、信頼性の高い自律式デバイスが得られる。
【００７１】
実際、栓を穿孔しかつ／またはキャップシール（錫製）を取り外す動作は、たとえ丁寧に行ったとしても少なくとも１本のトラックを切断する。導線はほぼ長手方向にキャップシールに沿って延在していることから、キャップシールを取り外すことは必然的にこの導線を切断する。同様にして、栓の穿孔は、口を覆う栓の穿孔を検出する手段のための電気的接続をも断つ。
【００７２】
こうして、穿孔または剥ぎ取りの場合、チップがトラックの切断を検出し、状態の変化情報を受信するか、またはトラックがアンテナレベルで切断され、チップはもはやデータを伝送できない（チップへはもはやアクセス可能でない）。
【００７３】
いずれの場合でも、読取り機は、ボトルが開けられたかまたは穿孔されたという情報を推測することができる。
【００７４】
こうして、ボトルが真正でない場合（すなわち誰かが既にキャップシールを開けたかまたは栓を穿孔した場合）、消費者は、情報を受信しないかまたは偽造を表示する情報を受信する。
【００７５】
一方、ボトルが真正である場合（すなわちキャップシールおよび栓が無傷である場合）、アンテナの近傍に位置付けられた専用読取り機は、例えばシャトーの名称、収穫年度および場合によっては等級番号および／またはボトルが付番されている場合にはその番号と共に、識別情報を受信する。
【００７６】
有利な実施形態においては、栓穿孔の検出手段は、網状組織のトラックを形成する少なくとも１本の導線の網状組織を含む。
【００７７】
好ましくは、網状組織のトラックは重複しない。トラックは互いに電気的に絶縁されている。
【００７８】
有利な一実施形態において、網状組織のトラックおよび回路のトラックを形成するのは同一の導線である。この同一の導線は、こうして閉回路を形成する。
【００７９】
この実施形態においては、この導線の切断により、キャップシールの剥ぎ取りまたは栓の穿孔を無差別に検出することが可能になる。
【００８０】
代替的には、網状組織のトラックおよび回路のトラックは異なる導線によって形成され得る。この場合、これらの導線は互いに平行に備え付けられ独立している。
【００８１】
有利には、網状組織のトラックは、おおよそ５０μｍから３００μｍの間にほぼ含まれる離隔距離だけ間隔をあけている。
【００８２】
好ましくは、網状組織の各トラック間の離隔距離は、おおよそ５０μｍ〜１５０μｍの間にほぼ含まれている。
【００８３】
好ましくは、網状組織の各トラック間の離隔距離は、おおよそ８０μｍ〜１５０μｍの間にほぼ含まれている。
【００８４】
有利には、網状組織の各トラックは、おおよそ５０μｍ〜３００μｍの間にほぼ含まれる幅を有している。
【００８５】
好ましくは、網状組織の各トラックの幅は、おおよそ５０μｍ〜１５０μｍの間にほぼ含まれる。
【００８６】
好ましくは、網状組織の各トラックの幅は、おおよそ８０μｍ〜１５０μｍの間にほぼ含まれる。
【００８７】
好ましくは、幅および離隔距離はほぼ同寸法である。
【００８８】
有利には、網状組織の各トラックは、おおよそ１０μｍ〜５０μｍの間に含まれる厚みを有する。
【００８９】
代替的な有利な一実施形態において、栓穿孔の検出手段は、パッチを含む。
【００９０】
このパッチは、針などの外部物体が前記パッチを穿孔した場合、このパッチとチップとの間の電気的接続が断たれるような形で構成されている。
【００９１】
好ましくは、パッチは、少なくとも部分的にセラミックで構成されている。
【００９２】
したがってパッチは、回路のトラックを介してチップに電気的に接続されている。
【００９３】
こうして、この態様において、針などの物体がパッチを穿孔した場合、このパッチは壊れ電気的接触はもはやなされなくなる。
【００９４】
この場合、チップは穿孔情報を推測することができる。
【００９５】
有利には、本発明に係るデバイスは、
−  栓穿孔の検出手段の端子におけるインピーダンスの変動を測定するように、および
−  測定された変動に応じて栓が穿孔されたか否かを判定するように
構成されたインピーダンスプローブを含む。
【００９６】
ここで、インピーダンスの変動は、侵入または少なくとも侵入の試みを明らかにする。
【００９７】
有利な実施形態において、絶縁性支持体は、６分岐を有する星形の体裁を有する。
【００９８】
この実施形態において、アンテナは、星形の６つの分岐のうちの１つの分岐の遠位部分上に位置付けされており、栓穿孔の検出手段は、デバイスがボトルとキャップシールとの間に位置付けされた時、星形の中央部分に位置付けされて少なくとも部分的に口を被覆する。
【００９９】
この６分岐を有する星形の形状は、デバイスをボトルの口の外壁に接して位置付けるのに特に有利に作用する。
【０１００】
出願人は、この星形の形状が口の周り全体に均一な厚みを付け加え、星形の各分岐が互いに完全に接触し合う場合、それにより例えば２つの分岐を用いる形状に係るデバイスに比べてデバイスをより見えづらいものにすることが可能になること、分岐が２つしか存在しないとはめ込み接合の後にキャップシール上にわずかな跡を生じさせるということを提起する。しかしながら、２つの分岐を有する形状も、特にコスト上の理由から企図することは可能である。
【０１０１】
好ましくは支持体は、ボトルの口、ワインボトルについては特にリングと可能な限り一致するよう、充分薄いものである。
【０１０２】
チップに関しては、分岐のうちの１つ、例えば主分岐上に位置付けされ、そのためデバイスがボトルとキャップシールとの間に位置付けされる時、チップはボトルのリングと接触しないようになっている。
【０１０３】
本発明に係るデバイスは、好ましくは、約１００μｍ（つまり、錫製キャップシールの厚みと同等）の厚みを有していなければならない。
【０１０４】
出願人は、多くの試験の後、はめ込み接合前にデバイスを直接キャップシールに接着すると、キャップシールははめ込み接合の際に変形することを観察している。
【０１０５】
したがって、まずボトルの口の周りにデバイスを接着し、その後（あたかもデバイスが存在しないかのように）口の周りにキャップシールをはめ込み接合することが好ましい。
【０１０６】
ただし出願人は、本発明に係るデバイスをキャップシールの内壁に接着し、次にボトルの口の周りに（デバイスと一体化した）キャップシールのはめ込み接合を実施する可能性を排除していない。同様に、例えばトラックを直接キャップシール内に彫ることにより、デバイスを直接キャップシール内に成型することも想定できる。
【０１０７】
一実施形態において、絶縁性支持体は、栓穿孔の検出手段の周囲にエンボス加工を含む。
【０１０８】
場合によっては先行する実施形態と組み合わせることのできる別の実施形態において、絶縁性支持体は、栓穿孔の検出手段の周囲に弾性部分を含む。
【０１０９】
いずれの場合でも、このエンボス加工および／またはこの弾性部分の役目は、デバイスがボトルとキャップシールとの間に位置付けされる時に、特にボトルのリングのレベル、およびボトルの口の頂部から栓穿孔手段の周囲までの湾曲部のレベルで、支持体がボトルの口の形状と可能な限り一致することができるようにすることである。
【０１１０】
好ましくは、絶縁性支持体は、ボトルとキャップシールのはめ込み接合をする際に及ぼされる機械的応力に耐えるような機械的特性を有する材料で、少なくとも部分的に構成されている。とりわけ絶縁性支持体は、はめ込み接合の後にその形状を保っていなければならない。絶縁性支持体は、（キャップシールとは異なり）長さ方向に伸びることもあってはならない。
【０１１１】
使用される支持体は可撓性である。
【０１１２】
絶縁性支持体は、ポリイミド、ポリエステル（特に熱可塑性ポリエステル）またはＰＶＣの中から選択される熱可塑性ポリマーで少なくとも部分的に構成されている。
【０１１３】
ポリイミドは、例えばＫＡＰＴＯＮタイプのものであり得る。
【０１１４】
支持体は、単層または多層であってよい。
【０１１５】
支持体は、銅の薄層を含むこともできる。
【０１１６】
熱可塑性ポリエステルは、例えばＰＥＴ（ポリエチレンテレフタレート）タイプ、ＰＢＴ（ポリブチレンテレフタレート）タイプ、さらにはＰＥＮ（ポリエチレンナフタリン）タイプのものであり得る。
【０１１７】
好ましくはトラックは、例えば銅、錫、さらにはアルミニウムなどの導電性、非酸化性、可鍛性および可延性の材料で少なくとも部分的に構成されている。
【０１１８】
出願人は、特にその優れた導電性、その耐酸化性およびその機械的特性のために、銅が好ましいことを提起する。
【０１１９】
アルミニウムは、銅の硬度より低く、キャップシールに用いられる錫の硬度に近い硬度を有することから、一部の応用例において考慮することができる。
【０１２０】
したがって、支持体の組成、およびその厚み、回路のトラック、それらの組成および厚みは、長さ方向に伸びず、はめ込み接合の際に回路のトラックの輪郭および特性をゆがめないように、選択される。
【０１２１】
有利には、本発明に係るデバイスは、チップに電気的に接続された、温度および／または湿度プローブなどの測定手段を含む。
【０１２２】
好ましくは、これらの測定手段は、周囲温度および／または湿度を測定するように構成されている。
【０１２３】
これらの手段はさらに、チップに対して周囲温度および／または湿度に関する情報を提供するように構成され、好ましくは、チップは受信した情報を記憶し履歴化することができる。
【０１２４】
最終消費者または飲食店経営者はこうして、試飲の時点でボトルの温度および／または湿度を知ることができる。
【０１２５】
最終消費者または飲食店経営者（のみならず販売業者、再販業者、コレクターなど）はまた、ボトルの保存状態を知って、これらの状態がワインの賞味にとって良いものであることを確認することもできる。
【０１２６】
有利には、本発明に係るデバイスは、サーモスタットおよび／またはハイグロスタットなどの警告手段を含む。
【０１２７】
代替形態において、警告手段は、周囲温度および／または湿度が既定値の範囲に入っていない場合に、第１の警告信号を生成するように構成されている。
【０１２８】
好ましくは、第１の警告信号は、測定された温度および／または湿度が規定の曝露期間中、既定値の範囲に入っていない場合に生成される。したがって、例えば上下閾値ならびに曝露期間をプログラミングすることが可能である。
【０１２９】
任意には、このサーモスタットおよびこのハイグロスタットは、その温度および／またはその湿度を直接測定することができる。この場合、これらの要素はそれ自身でこと足りている。
【０１３０】
チップはこのとき、生成された警報信号を受信し記憶して、読取りの際に読取り機にそれを伝送することができる。
【０１３１】
特定の一実施形態において、これらの警告手段はチップ内に一体化されている。
【０１３２】
最終消費者または飲食店経営者（のみならず販売業者、再販業者、コレクターなども）はまた、ボトルの保存状態を知って、これらの状態がワインの熟成にとって良好か（または否か）を確認することもできる。
【０１３３】
この警告信号内に格納された情報と識別データ内に格納された情報の集計を想定することもできる。
【０１３４】
こうして、チップの読取りの際に、良好な熟成および良好な成熟のために生産者が推奨しない温度および／または湿度条件にボトルが曝露されていなかったかを知ることが可能である。
【０１３５】
有利には、本発明に係るデバイスは、ボトルを通過して伝播する振動を測定し、第２の警告信号を生成するように構成される振動センサーを含む。
【０１３６】
センサーは、（穿孔機により引き起こされる振動などの）周期的振動を検出し、（輸送または衝撃などによって引き起こされるもののような）無作為振動に反応しないことが可能である。
【０１３７】
センサーはまた、少なくとも約１秒間におおよそ３０Ｈｚ〜３００Ｈｚの範囲の振動を検出するように構成されていてよく、これにより、チップに対する侵入の試みに関する情報を判定することが可能となる。
【０１３８】
代替的には、振動検出機能をチップ内に直接一体化することができる。
【０１３９】
一変形形態においては、別の変形形態と同様、デバイスは、例えば栓またはガラスの穿孔が試みられた場合にボトル上で発生する振動に対応する周波数範囲を検出することができる。
【０１４０】
ここで、ボトルが受ける衝撃に関連する振動（例えば輸送の際に誘発される振動）は、この周波数範囲の一部を成していない。
【０１４１】
同様にして、この警告信号内に格納された情報と識別データ内に格納された情報の集計を想定することもできる。
【０１４２】
有利には、本発明に係るデバイスは、デバイスの地理的座標を電子チップに伝送するように構成されたＧＰＳタイプの地理的位置決定の受信機を含む。
【０１４３】
デバイスはまた、読取り（すなわちスキャン）の履歴をチップ内のメモリーに保管することもできる。
【０１４４】
こうして、チップに問合わせてシャトー以降ボトルをスキャンした読取り機を識別することが可能である。
【０１４５】
読取り機は匿名であることが想定されるが、それでも、読取り機の各ユーザーは、自分が居住する都市および国名を申告しなければならない。
【０１４６】
各スキャンに関する情報は、その際ボトル（チップ）内に記憶される。
【０１４７】
特定の一実施形態において、電子チップは、少なくとも１つの安全な記憶モジュールを含む。各モジュールは、好ましくは、識別キーを用いてのみアクセス可能である。
【０１４８】
こうして各チップは、符号化されたキーの形をした識別子を有することができる。
【０１４９】
チップは、こうして区分に分割され得る。すなわちチップは、例えばデータの一部は単に読取るだけで消費者がアクセスできるように、かつ他の部分は、これらのデータが異なる周波数によってアクセス可能である場合には秘密キーを用いてまたは特定の読取り手段を用いて生産者またはブドウ栽培者のみがアクセスできるように、異なる記憶スペース内に情報を記憶させることができる。
【０１５０】
有利には、アンテナは、環を形成する複数の巻回を含む。これらの巻回は、好ましくは回路の導線により形成される。
【０１５１】
有利には、アンテナは、読取り機により発出されるものと適合しうる磁場を作り出す。
【０１５２】
有利には、アンテナは、読取り機のエネルギーによって活性化されるインダクタンスに相当する。これはインダクタンスアンテナのことである。
【０１５３】
有利には、アンテナは、いわゆるシミュレーションによるアンテナである。
【０１５４】
有利には、アンテナは指向性アンテナである。
【０１５５】
別の構成においては、アンテナは、周波数振幅の電波（短、中、長波）のアンテナの場合と同じ物理的原理を用いて放射するために、キャップシールを利用する。
【０１５６】
有利には、アンテナは、デバイスがキャップシールとボトルとの間に位置付けされている時、キャップシールから少なくとも部分的にはみ出している。
【０１５７】
これにより、アンテナの放射は改善される。
【０１５８】
アンテナのサイズは、キャップシールからのはみ出しが可能な限り小さくなるように最適化される。
【０１５９】
任意には、絶縁性支持体はフェライト層を含む。この層により、磁気妨害を減少させることが可能になる。
【０１６０】
第２の態様によると、本発明の目的は、キャップシールにより被覆された栓によって口が閉じられているボトルに関する。
【０１６１】
有利にはボトルは、ボトルとキャップシールとの間に位置付けされた上述のもののような認証用電子デバイスを含む。
【０１６２】
好ましくは、回路のトラックはボトルと向き合っており、絶縁面はキャップシールと向き合っている。
【０１６３】
第３の態様によると、本発明の目的は、キャップシールにより被覆された栓によって口が閉じられているボトルの製造方法に関する。
【０１６４】
有利には、本発明に係る方法は、以下の
−  上述のもののような認証用電子デバイスを、ボトルの口の周りに位置付ける第１のステップと、
−  キャップシールおよびデバイスを口の周りに合わせてはめ込み接合してボトルの閉じを強固なものにする第２のステップと、
を特に含む。
【０１６５】
好ましくは、第１の段階に際して、デバイスは、例えばボトルの口およびリングの周りでボトル上に接着される。
【０１６６】
代替的には、本発明に係るデバイスをキャップシールの内壁に直接接着し、次にキャップシールとデバイスとで形成されたアセンブリをボトルの口の周りにはめ込み接合することを想定することもできる。
【０１６７】
第４の態様によると、本発明の目的は、キャップシールにより被覆された栓によって口が閉じられているボトルの認証用のアセンブリに関する。
【０１６８】
有利には、このアセンブリは、
−  ボトルとキャップシールとの間に位置付けされるための上述のもののような少なくとも１つの認証用電子デバイスと、
−  デバイスのアンテナが読取り機の適用範囲内にある場合に、デバイスの電子チップ内に記憶された識別データを読取ることのできる外部読取り機と、
を含む。
【０１６９】
第５の態様によると、本発明の目的は、グラン・クリュタイプ（プルミエ・クリュなど）のワインが入ったボトルの認証のための、上述のもののような認証用電子デバイスの使用に関する。
【０１７０】
本発明の範囲内で、他の代替的使用もまた企図することができる。
【０１７１】
第６の態様によると、本発明の目的は、上述のもののような認証用電子デバイスを含むボトル用のキャップシールに関する。
【０１７２】
好ましくは、このようなデバイスは、キャップシールの内壁上に直接または間接的に接着される。
【０１７３】
こうして本発明は、その異なる構造的および機能的な技術的特徴によって、ボトルのキャップシールおよび／または栓についてのあらゆる侵入を識別することにより、（最終消費者だけでなく、販売業者、再販業者、流通業者、競売人、コレクターなどに対して）ボトルの内容物の真正さを保証することを可能にする。
【０１７４】
本発明の他の特徴および利点は、全く非限定的である本発明の複数の実施例を図示する添付図１ａ〜１ｂないし８を参照して、以下の説明から明らかになるものである。
【図面の簡単な説明】
【０１７５】
【図１ａ．１ｂ】本発明に係る認証用電子デバイスが備わった、キャップシールにより被覆された栓によって口が閉じられているボトルの斜視図を各々表わす。
【図２ａ．２ｂ】本発明の第１の実施例に係る認証用電子デバイスの図を各々表わす。
【図３ａ．３ｂ】本発明の第２の実施例に係る認証用電子デバイスの図を各々表わす。
【図４ａ．４ｂ】本発明の第３の実施例に係る認証用電子デバイスの図を各々表わす。
【図５ａ．５ｂ】本発明の第４の実施例に係る認証用電子デバイスの図を各々表わす。
【図６ａ．６ｂ】本発明の第５の実施例に係る認証用電子デバイスの図を各々表わす。
【図７】キャップシールにより被覆された栓によって口が閉じられているボトルの認証用アセンブリの実施例の概略図を表わす。
【図８】ボトルの口と閉鎖用キャップシールの間に図２ａおよび２ｂに適合したデバイスを含むボトルの分解組立図を表わす。
【発明を実施するための形態】
【０１７６】
ここで、複数の有利な実施例に係る認証用電子デバイスならびにこのようなデバイスの備わったボトルについて、図１ａ〜１ｂないし８を併せて参照しながら、以下に説明する。
【０１７７】
以上で説明した通り、グラン・クリュ、特にプルミエ・クリュも偽造を免れない。
【０１７８】
偽造を制限し、ボトルおよびその内容物の真正さを（消費者だけでなく、販売業者、再販業者、飲食店経営者、流通業界、競売人さらにはコレクターに対し）保証するためにシャトーが遭遇する問題の１つは、特に、ボトルの栓が穿孔されていないことおよび／またはキャップシールが剥ぎ取られていないことおよび／またはボトル（容器）が真正であることを、実時間で好ましくは自律したシステムを用いて証明できることにある。
【０１７９】
遭遇する他の問題の１つは、偽造ラベルおよびその結果として生じる偽造ボトルの流通に関連する。
【０１８０】
従来、ボトル２００は、栓２０２によって閉じられている口２０１を有する。栓２０２は、栓２０２を用いた閉じを安全なものにするための封印としての役目を果たすキャップシール３００により被覆される。
【０１８１】
ある場合においては非常に細い可能性のある（例えば約５００μｍ）針を用いて、栓２０２およびキャップシール３００を穿孔してボトル２００の内容物を回収すること、およびこの内容物をボトルから吸い出すことからなるグラン・クリュの偽造が見受けられる。
【０１８２】
ボトル２００のキャップシール３００および／または栓２０２の、剥ぎ取り／穿孔を検出できるようにすることが、本発明の目的の１つである。
【０１８３】
この目的は、本発明の範囲内では、図８に示されているような、ボトル２００とキャップシール３００の間に位置付けられるための認証用電子デバイス１００によって可能になる。
【０１８４】
美観についてのシャトーの要求を満たすためには、図１ａまたは１ｂに示されているように、デバイス１００がほとんど見えず（さらには全く見えず）、ボトル上に可能な限り目立たないように組み込まれていることが望ましい。
【０１８５】
こうして、本発明によると、デバイス１００は、有利には電子回路１０を有する。
【０１８６】
この回路１０は、柔軟な絶縁性支持体１１を含む。
【０１８７】
好ましくは、このような支持体１１は、キャップシール３００の内壁およびボトル２００の口２０１の外壁に可能な限りぴったりと一致するのに充分なほど薄いものであることが想定されている。
【０１８８】
実際、このデバイス１００は、ボトル２００の口２０１上に固定され、ボトル２００の首の周りにキャップシール３００をはめ込み接合する際にキャップシール３００と組み合わされることが想定されている。
【０１８９】
代替的には、キャップシール３００の内壁上にデバイス１００を直接組み込み、その後ボトル２００の口２０１の周りにアセンブリをはめ込み接合することが可能である。
【０１９０】
以下では、図２ａおよび２ｂの例についてより詳細に説明するが、後続する図の他の例は単なる変形実施形態にすぎない。
【０１９１】
図２ａおよび２ｂに示された２つの実施例において、支持体１１は６つの分岐を有する星形形状を有している。
【０１９２】
この６分岐付き星形形状は、はめ込み接合の後、デバイス１００を、ボトル２００の口２０１の外壁に接しかつキャップシール３００の内壁に接して位置付けるのに有利に作用する。
【０１９３】
実際、星形の分岐の基部のレベルでひとたび折畳まれると、デバイス１００ははめ込み接合された金属製キャップシール３００の内部をほぼ完全に被覆する。
【０１９４】
ここで説明されている例において、キャップシール３００との組み込みに必要なその薄さおよび柔軟性にも関わらず、支持体１１はそれでも、キャップシール３００をボトル２００とはめ込み接合する際に及ぼされる応力に耐えるのに充分な機械的特性を有する材料で構成される。
【０１９５】
ここで説明されている例において、支持体１１は、ＰＥＮ（ポリエチレンナフタリン）タイプの熱可塑性ポリエステルまたはＫＡＰＴＯＮタイプのポリイミドで少なくとも部分的に構成されている。
【０１９６】
ただし、本発明の範囲内で、他の材料を企図することも可能である。
【０１９７】
支持体１１は、キャップシール３００と向き合うべき（絶縁性の）面に絶縁性材料層を有する。
【０１９８】
代替形態において、絶縁性層は、電磁妨害を削減するためにフェライトで構成されている。
【０１９９】
主分岐と呼ばれる、６つの分岐のうちの一方の面に、長手方向に（すなわち分岐の長さの方向に）、一方の向きに、次いで他方の向きに導線１２が延在している。
【０２００】
ここで記載されている例において、この同じ導線１２は、主分岐と反対側の分岐の長さ全体にわたって同様に延在しており、１つのループを形成する。
【０２０１】
こうして、この同じ導線１２は、回路１０のトラックを形成する。
【０２０２】
以下で理解できるように、回路のこれらのトラックは、キャップシール３００の剥ぎ取りの検出手段を構成する。
【０２０３】
ここで記載されている異なる実施例において、問題となるのは、単一の導線１２である。ここで当業者であれば、回路のトラックは、それらが互いに重なり合うことなく、複数の導線で形成され得ることを理解するものである。
【０２０４】
ここで記載されている各々の実施例において、電子回路１０はまた、電子チップ１３およびアンテナ１４を含む。
【０２０５】
より詳細には、図２ａおよび２ｂの実施例において、チップ１３およびアンテナ１４は、主分岐上に位置付けされる。
【０２０６】
図２ａの実施例において、デバイス１００がボトル２００とキャップシール３００の間に位置付けされる時、アンテナ１４は、主分岐の遠位部分上で部分的にキャップシール３００からはみ出しているのが分かる。
【０２０７】
したがってこの実施例において、主分岐は、キャップシール３００からはみ出さない他の分岐よりもわずかに長い。
【０２０８】
同様に、図１ａを見ると、キャップシール３００のスカート部からアンテナ１４がはみ出していることが分かる。図３ａ、４ａ、５ａおよび６ａに示されている他の実施例の各々において、このアンテナ１４のはみ出しが認められる。
【０２０９】
アンテナ１４の一部分をキャップシール３００からはみ出させることの利点は、アンテナ１４の放射性能を改善することにある。
【０２１０】
ただし、このはみ出しは、特に従来の伝統的美観を維持するために不可視の解決法を望むシャトーの要求と、矛盾し得るということが指摘される。
【０２１１】
しかしながら出願人は、シャトーが、彼ら独自のボトルを区別するため、または最終的には消費者を安心させるために、何らかの形で彼らのボトル上にデバイスが存在することを知らせる義務を負っているという点が指摘される。
【０２１２】
こうして、環をキャップシールから１または２ミリメートルはみ出させること（図１ａ、４ａ、５ａ、６ａ）、または例えば赤ワインのボトルに対しては黒色不透明の接着剤で被覆された舌状部（図２ａおよび３ａ）は、目立たないという利点を有し、シャトーに対しては彼らのボトルが保護されていることを表示する単純な手段を提供し、しかも消費者にとってはほとんど直感的に、またはシャトーのみならず販売業者、再販業者、飲食店経営者、流通業者、競売人さらにはコレクターによる任意の１つの伝達作業によって少なくとも容易に説明可能な形で、この表示手段が提供される。
【０２１３】
また、図１ｂに示されているように、アンテナ１４の一部分を露出させるために、キャップシール３００内にわずかな切り込み３０１を備えることもできる。
【０２１４】
代替的には、デバイス１００をより見えにくくするため、キャップシール３００の色の接着剤（ここでは図示せず）を備えることもできる。
【０２１５】
代替的には、図２ｂの実施例は、アンテナ１４が位置付けされている主分岐がキャップシール３００からはみ出していないという点で、図２ａの例と異なっている。
【０２１６】
図３ｂ、４ｂ、５ｂおよび６ｂに示されている他の実施例の各々においても、アンテナ１４ははみ出していない。
【０２１７】
より目立たないこの解決法は、一部のシャトーによって好まれる可能性がある。
【０２１８】
ここに記載した実施例の各々において、チップ１３は、ボトル２００の内容物に関する少なくとも１つの情報を格納する識別データを記憶する。これは例えば、シャトーの名称、収穫年度、瓶詰年、ボトル番号、ボトルの容量、アルコール度数などのタイプの識別情報であり得る。
【０２１９】
これらの情報は、例えば瓶詰後、シャトーの所有者によってチップ１３内に予め記録される。
【０２２０】
ここに記載されている例においては、アンテナ１４は、チップ１３と協働して、識別データを外部読取り機４００に向けて無線経路によって伝送するように構成されている。次に読取り機４００は、スクリーン上にこれらの識別情報を表示することができる。
【０２２１】
好ましくは、このような伝送は、アンテナ１４が読取り機４００の適用範囲内にある場合に可能である。
【０２２２】
電子チップ１３は、識別キーによりアクセス可能な安全な記憶モジュールを含んでもよい。
【０２２３】
こうして、認証された外部読取り機が保持する識別キーを用いて、安全な情報の伝達を想定することが可能である。
【０２２４】
電子チップ１３は、例えばボトルの出所であるシャトーの所有者のみがアクセスできる、安全な別の補足的記憶モジュールを含むことができる。
【０２２５】
この補足的記憶モジュールは、例えば、主記憶モジュールにアクセスするために使用されるものとは異なる周波数を用いることによって、アクセス可能であり得る。
【０２２６】
電子チップ１３はさらに、例えば、「スマートフォン」タイプの通信端末を所有しているあらゆる一般人がアクセス可能な安全な別の補足的記憶モジュールを含むこともできる。
【０２２７】
ここで、この記憶モジュールは、偽造産業にとっては全く利にならない感応性の低いデータしか格納しないということが理解されるであろう。このようなモジュールは例えば、ウィンドウ内のボトルを見ている人に向けたマーケティング用の情報を格納することができる。
【０２２８】
好ましくは、ここではＮＦＣタイプの技術が、外部読取り機４００へデータを伝送するために使用される。チップ１３の識別キーならびに伝送されるデータを盗聴しないように、プロプライエタリおよび／または暗号化通信プロトコルが好まれる。
【０２２９】
他の無線通信技術も同様に、企図され得る。
【０２３０】
読取り機４００およびデバイス１００により形成されるアセンブリ５００は自律式であり、インターネットサーバー接続の使用または対象シャトーの任意のデータベースへのアクセスを必要としない。
【０２３１】
自律式システムを有することで、偽造行為をさらに単純化することができるであろう情報処理ハッキングが制限される。
【０２３２】
電子チップ１３は、回路１０のトラックを形成する導線１２の少なくとも１本が切断された場合に、キャップシール３００が完全にまたは部分的に剥ぎ取られたことを判定できるということが理解される。
【０２３３】
これらのトラック１２の１本の切断または剥ぎ取りは、チップ１３とアンテナ１４との間の電気的接続を実際に断つ。このとき、チップ１３は、擾乱事象を検出することができる。
【０２３４】
好ましくは、チップ１３は、トラック１２が切断されたという事実をメモリー内に保存する。
【０２３５】
このことは、例えばボトルの詰め替えなどの後にトラックが再度溶接される場合に、極めて有利である。
【０２３６】
回路１０は、栓穿孔の検出手段１５もまた含んでいる。
【０２３７】
これらの手段１５は、本発明に特徴的なものである。
【０２３８】
ここで記載されている各々の例において、これらの栓穿孔の検出手段１５は、デバイス１００がボトル２００とキャップシール３００の間に位置付けされている場合にボトル２００の口２０１を被覆する。
【０２３９】
より詳細には、図２ａおよび２ｂの例において、栓穿孔の検出手段１５は、デバイス１００がボトル２００とキャップシール３００との間に位置付けされる時、星形の中央部分に位置付けされ、口２０１を被覆する。
【０２４０】
これらの栓穿孔の検出手段１５は、主分岐の導線１２により電子チップ１３とアンテナ１４に電気的に接続される。
【０２４１】
ここで記載されている例の各々において、栓穿孔の検出手段１５は、網状組織１６により形成されている。この網状組織１６は、回路と同じ導線１２によって形成されている。
【０２４２】
このようにこの導線は、網状組織のトラック１６と回路のトラックを同時に形成する。
【０２４３】
代替的には、網状組織１６はここで、回路の導線１２と別の導線によって形成されてもよいということが理解される。
【０２４４】
電子チップ１３はこうして、網状組織のトラックの少なくとも１つが切断された時、栓２００が完全にまたは部分的に穿孔されたか否かを判定するように構成されている。
【０２４５】
ここで記載されている例の各々において、トラック１２および１６は、口２０１の両側でボトル２００の首を越えて口の上部を通過し栓の上部部分を完全に被覆し、ボトルのリングを越えたところまで進む。
【０２４６】
こうして、回路のトラック１２のうちの１本、または網状組織のトラック１６のうちの１本の切断後は、チップ１３はもはやアンテナ１４に電気的に接続されていない。
【０２４７】
複数のケースが発生する。アンテナ１４による識別データの伝送がもはや不可能であるケース、あるいはチップ１３が穿孔または剥ぎ取りに関する情報を推測するケースであり、その場合アンテナ１４は検出された侵入（穿孔および／または剥ぎ取り）に関する情報を読取り機４００に送る。
【０２４８】
回路のトラック１２はこのように、キャップシール３００の剥ぎ取りの検出手段を構成し、一方で網状組織のトラック１６は、栓２０２の穿孔の検出手段を構成する。
【０２４９】
別のケースでは、回路のトラック１２はアンテナ１４に接続され、網状組織１６の回路は、キャップシール３００の剥ぎ取りおよび／または栓２０２の取り外しを検出することのできる他のトラックを組み込んでいる。
【０２５０】
こうして、栓２０２が取り外されるか穿孔された場合、またはキャップシール３００が剥ぎ取られた場合（たとえ丁寧に行われた場合であっても）、チップ１３は、自らが格納する識別データ、ならびに侵入または侵入を試みた情報を、読取り機４００に通信する能力を保持する。
【０２５１】
トラック１２および１６は、銅で構成されている。ここで銅は、その導電性特性、耐酸化性および経時的な機械的強度のために選択されている。
【０２５２】
この網状組織は目の細かいものである。
【０２５３】
ここで記載されている例において、網状組織のトラック１６は、おおよそ８０〜１５０μｍの間にほぼ含まれる離隔距離だけ間隔をあけている。
【０２５４】
同様にして、網状組織のトラック１６の各々は、おおよそ８０〜１５０μｍの間にほぼ含まれる幅を有する。
【０２５５】
ここで記載されている実施例において、前記網状組織のトラック１６の各々は、おおよそ１０μｍ〜５０μｍの間に含まれる厚みを有する。
【０２５６】
代替的には、栓穿孔の検出手段１５は、パッチ１７（図７にのみ図示）を含んでもよい。
【０２５７】
好ましくはセラミック製のこのパッチ１７は、針などの外部物体が前記パッチ１７を穿孔した場合に、パッチ１７とチップ１３との間の電気的接続が断たれるような形で構成されている。
【０２５８】
同様にして、この電気的接続が断たれた場合、複数のケースが発生する。アンテナ１４による識別データの伝送がもはや不可能であるケース、あるいはチップ１３が穿孔に関する情報を推測するケースであり、その場合アンテナ１４は検出された穿孔に関する情報を読取り機４００に送る。
【０２５９】
図７は、キャップシール３００により被覆された栓２０２によって口２０１が閉じられているボトル２００の認証のためのアセンブリ５００を概略的に例示する。
【０２６０】
このアセンブリ５００は、
−  上述されているもののような認証用電子デバイス１００と、
−  デバイス１００のアンテナ１４が読取り機４００の適用範囲内にある場合に、デバイス１００の電子チップ１３内に記憶された識別データを読取ることのできる外部読取り機４００と、
を含む。
【０２６１】
この例において、デバイス１００は、補足的機器を備えている。
【０２６２】
より詳細には、栓穿孔の検出手段１５の端子におけるインピーダンス変動を測定するために、インピーダンスプローブ２０が備えられている。プローブ２０によるインピーダンス変動の検出により、栓２０２が穿孔を受けたか否かを判定することが可能になる。
【０２６３】
この例においては、デバイス１００が、温度および／または湿気プローブ３０を含むことも想定されている。
【０２６４】
このプローブ３０は、チップ１３に電気的に接続されており、周囲温度および／または湿度に関する情報をリアルタイムにチップ１３に提供することを可能にする。
【０２６５】
この場合、チップ１３はプローブ３０から受信した情報を記憶し履歴化することができるということがここで理解される。
【０２６６】
図７に例示されたこの実施例において常に、温度および／または湿気プローブ３０が、サーモスタット３１およびハイグロスタット３２に接続されていることも同様に想定される。
【０２６７】
サーモスタット３１およびハイグロスタット３２はこのとき、プローブ３０によって測定された温度および／または湿度が既定値範囲内に入っていない場合、第１の警告信号を生成するために備えられている。
【０２６８】
先に説明した通り、測定された温度および／または湿度が、規定の曝露期間中既定値範囲内にない場合、この第１の警告信号が生成されることを想定することができる。
【０２６９】
別の変形形態においてはまた、サーモスタット３１が温度プローブを組み込んでおり、したがってプローブ３０無しで済ませることも可能である。同様に、ハイグロスタット３２が湿気プローブを組み込んでおり、プローブ３０無しで済ませることも想定することができる。
【０２７０】
したがってこの変形形態においては、サーモスタット３１とハイグロスタット３２は、それらだけで条件を満たしている。
【０２７１】
この実施例において、デバイス１００は振動センサー４０を含んでおり、こうしてボトル２００を通して伝播する振動を測定し、測定された前記振動が少なくとも約１秒間におおよそ３０Ｈｚ〜３００Ｈｚの間にほぼ含まれる周波数を有する場合に、第２の警告信号を生成する。
【０２７２】
最後に、図７に例示されたこの実施例において常に、デバイス１００は、デバイスの地理的座標を前記電子チップ１３に伝送するように構成されたＧＰＳタイプのジオローカライゼーション受信機５０を含む。
【０２７３】
こうして、チップ１３は、ボトルの地理的座標に関するデータを記憶し履歴化することができる。
【０２７４】
このとき、例えば、読取り機４００による読取りの際に、ボトル２００の座標を記憶することが可能である。こうして、各読取り機に固有の情報との照合を行なうことにより、異なる読取りの履歴をたどることが可能になる。
【０２７５】
図１ａにおいて、アンテナ１４が、環を形成する複数の巻回で構成されていることを明示することができるであろう。この例において、アンテナ１４は、キャップシール３００のスカート部の下部の真下に配置されている。
【０２７６】
この実施例において、アンテナ１４は、口の両側に配置された同じ導線１２によって、主回路１０に接続されている。ボトル２００から栓２０２を除去するためには、必然的にこの導線１２を壊さなければならないということが指摘される。
【０２７７】
ここで、ひとたびデバイス１００／キャップシール３００のアセンブリがはめ込み接合されると、ボトルのリングの上で栓穿孔の検出手段１５の周囲に、あるいはひとたびデバイス１００／キャップシール３００のアセンブリがはめ込み接合されると、リングの下のより一層アンテナに近いところに、チップを位置付けすることができるということが指摘される。
【０２７８】
他の実施形態は、支持体１１および回路１０の形状が異なる、実施可能な変形形態にすぎない。
【０２７９】
図３ａおよび３ｂは、唯一のアンテナ１４および２本の分岐のみ有する支持体１１とを伴う単純なデバイス１００である。
【０２８０】
ここで、分岐の幅は、（例えば材料の節約のために）異なっていてよいことが指摘される。
【０２８１】
ここで、図１ａに表示されたデバイス１００は、６つの分岐を有する星形を伴う図２ａおよび２ｂに表示されたデバイス１００よりもコストの低いものである、すなわちより少ない材料を使用するものであるという点を指摘しておくことが重要である。
【０２８２】
さらに、このようなデバイスは、ボトルの口の両側でキャップシール３００上に印を形成する２本の導線１２以外には、はめ込み接合されたキャップシール３００の表面全体上のその仕上げを変えることがない。
【０２８３】
図４ａおよび４ｂにおいて、回路１０は、支持体１１の両側に横方向に延在して「Ｔ字形」を形成する幅広のアンテナ１４を含む。
【０２８４】
図５ａおよび５ｂにおいて、回路１０は、支持体１１の単一の側で横方向に延在して「Ｌ字形」を形成する幅広のアンテナ１４を含む。
【０２８５】
図６ａおよび６ｂにおいて、回路１０は、２つのアンテナ１４を含み、これらのアンテナは、デバイス１００がボトル２００とキャップシール３００との間に設置された時に、ボトルの周りに巻き付いて、ボトルの全周囲を覆う。
【０２８６】
ここで、図１ａ、４ａ、４ｂ、５ａ、５ｂ、６ａおよび６ｂの各々に表示されたデバイス１００が、はめ込み接合された後、ボトル２００の口２０１の全周にアンテナを有することが指摘される。
【０２８７】
これにより、消費者のみならず販売業者、再販業者、飲食店経営者、流通業者、競売人さらにはコレクターも、図１ｂ、２ａ、２ｂ、３ａおよび３ｂの中に表示されているデバイスを伴う場合のように、厳密に１つの場所においてではなくキャップシール３００の周りのどの場所においても、読取り機４００にアクセスできるという点により、デバイス１００の使用が簡略化される。
【０２８８】
ここで当業者であれば、出願人が、最も代表的かつ最も完全な例であることを理由として、図２ａおよび２ｂに表示されているデバイスをここで詳細に説明することにこだわっていることに気付くであろう。このデバイスは、いかなる場合においても最良のデバイスおよび／またはシャトーが重視するであろうデバイスを表わしているわけではない。他のデバイスは、このデバイスの説明から派生するものであることから、このデバイスをより詳細に説明することが選択されたわけである。
【０２８９】
その上、これらの異なる実施例は、他の可能な実施例のうちの一部の例にすぎない。当業者であれば、本発明から離れることなく他の可能な形態を企図することができるであろう。
【０２９０】
回路および網状組織のトラックに対して、いくつかの形態が当業者にとって企図可能なものであることが特に指摘される。
【０２９１】
こうして本発明により、上述の異なる技術的特徴を用いて、ワインに関する新たな偽造技術が提起する問題に応えることが可能になる。
【０２９２】
さらに本発明は、ブドウ栽培者および生産者、特にグラン・クリュのブドウ栽培者および生産者の要求を満たすことができる。
【０２９３】
実際、グラン・クリュ、特にプルミエ・クリュを管理するシャトーは、風格、エレガンスさおよび純正さのイメージを与えなくてはならない。
【０２９４】
したがって、不正行為防止デバイスは、可能な限り目に見えないものであることが重要である。
【０２９５】
本発明の範囲内で、デバイス１００は、ボトル２００と金属製キャップシール３００との間に位置付けされる。ボトルがひとたびはめ込み接合されると、このデバイスは見えないか、または極めてわずかしか見えない。
【０２９６】
さらに本発明は、いわゆる詰め替え現象を防止するための有効な解決法を提供する。デバイスは、この目の細かい網状組織またはこのパッチの存在によって、コルク栓の穿孔を検出することができる。現状技術におけるいかなる解決法も、詰め替えを回避するための解決法を提供してはいない。
【０２９７】
現状技術においては、無接点ラベルおよび封印は、外部サーバー上に設置されたデータベースを参照することが必要とされる。
【０２９８】
このときこれらのシステムは、ユーザーに対し、チップの情報を伝送する前に、通信端末にインストールされたアプリケーションソフトウェアにシステムを接続することを求める。これにより、サーバー、アプリケーションおよび／またはインターネットサイトがハッキングされた場合には、これらのデバイス内に情報処理の脆弱性が発生する。
【０２９９】
本発明の範囲内で提案されたデバイスは、それだけで条件を満たすものである。すなわちこのデバイスにより、物理的なボトル（容器）の供給元からシャトーにおける瓶詰までのこのボトルの真正さの確認を得ることが可能になる。このデバイスはまた、栓が開けられたかまたは穿孔されたか否かを確認することまたは否定することをも可能にする。このデバイスは、振動センサーを伴うその最も進化したバージョンでは、ボトルの内容物の真正さ、ひいてはボトル全体としての真正さを確認することもできる。
【０３００】
その名の通り、キャップシールの外部の「ＣＡＰＳＥＡＬ（登録商標）」方式は、偽造されたボトル上で移動させることができ、ここではその価値が無になるために脆弱なものである。本発明の範囲内において、デバイス１００の取り外しは必然的に、ボトル２００が真正であるか否かを確認することができるチップ１３に情報を提供する。
【０３０１】
その上本発明に係るデバイス１００は、読取り機４００に、チップ１３の識別データに対応するシャトーのラベルを表示することができる。これには、自分が購入するシャトーのラベルの正確なデザイン、またはシャトーの名称のつづりさえも覚えていない素人の消費者に対して、補足的な視覚的確認を与えるという利点がある。消費者はこうして、購入しようとするボトルのラベルを直接確認し、このラベルを自らの読取り機に表示されたラベルと詳細に比較することができる。
【０３０２】
以上で言及されたあらゆる理由により、本発明の目的は、グラン・クリュタイプのワインの偽造を防止するためのきわめて有効な、かつ目立たない解決法である。当然のことながら、本発明の範囲内で他の用途も同様に企図することができるであろう。
【０３０３】
この詳細な説明は、本発明の特定の実施例に関するものであるが、いかなる場合であれ、この説明が本発明の目的に対して何らかの限定的性質を付与するものではないという点を認識すべきであろう。それどころかこの説明は、以下に続く請求の範囲が場合によっては含み得るあいまいさ、または誤った解釈をことごとく取り除くことを目的としている。
【符号の説明】
【０３０４】
１０  電子回路
１１  絶縁性支持体
１２  導線
１３  電子チップ
１４  アンテナ
１５  検出手段
１００  デバイス
２００  ボトル
２０１  口
２０２  栓
３００  キャップシール
４００  読取り機
【図１ａ】
2018505823.tif 000003
【図１ｂ】
2018505823.tif 000004
【図２ａ】
2018505823.tif 000005
【図２ｂ】
2018505823.tif 000006
【図３ａ】
2018505823.tif 000007
【図３ｂ】
2018505823.tif 000008
【図４ａ】
2018505823.tif 000009
【図４ｂ】
2018505823.tif 000010
【図５ａ】
2018505823.tif 000011
【図５ｂ】
2018505823.tif 000012
【図６ａ】
2018505823.tif 000013
【図６ｂ】
2018505823.tif 000014
【図７】
2018505823.tif 000015
【図８】
2018505823.tif 000016
【国際調査報告】
2018505823.tif 000017
2018505823.tif 000018
2018505823.tif 000019
2018505823.tif 000020